(57)【要約】【課題】小型スクリーンレス・ポータブルＤＶＤプレイヤを使って再生映像を見る従来の方法では、モーバイル性が生かされていなかった。小型スクリーンレス・ポータブルＤＶＤプレイヤのモーバイル性を生かした映像再生方法が強く求められていた。もう一つの重要なモーバイル機器である携帯電話についても簡便な充電問題の解決方法が求められていた。【解決手段】本発明は小型スクリーンレス・ポータブルＤＶＤプレイヤの表示部として、常に携帯が日常化されている携帯電話機の表示部を利用し、ＤＶＤプレイヤと該携帯電話機を１本のラインでのみで結合する事によって前記の課題を解決したものである。さらに、ＤＶＤプレイヤ側にＵＳＢ端子を設け、小型スクリーンレス・ポータブルＤＶＤプレイヤの電源であるバッテリーパック電源を利用し、ＵＳＢ端子を利用して携帯電話への充電を行うことによって充電にたいする課題も解決したものである。【選択図】図１
2005259323.tif 000002
【特許請求の範囲】
【請求項１】
少なくとも１個の映像信号／音声信号結合端子を含むことを特徴とする小型スクリーンレス・ポータブルＤＶＤプレイヤ。
【請求項２】
少なくとも１個の５．６Ｖの携帯電話充電用のＵＳＢ端子を含むことを特徴とする小型スクリーンレス・ポータブルＤＶＤプレイヤ。
【請求項３】
少なくとも１個の映像信号／音声信号結合端子及び５．６Ｖの携帯電話充電用のＵＳＢ端子を含むことを特徴とする小型スクリーンレス・ポータブルＤＶＤプレイヤ。
【請求項４】
一端が映像信号／音声信号結合端子コネクターであり他端がステレオホーン用平型コネクタで構成されることを特徴とする小型スクリーンレス・ポータブルＤＶＤプレイヤ用コード。
【発明の詳細な説明】
【技術分野】
【０００１】本発明はＤＶＤプレイヤに関するものであって、特に表示スクリーンを含まない小型ポータブルＤＶＤに関するものである。
【背景技術】
【０００２】高密度で映像や音声が記録されたＤＶＤディスクを再生する手段としてＤＶＤプレイヤが広く使われている。【０００３】ＤＶＤプレイヤは当初、ビデオデッキと略同じサイズを持つ装置であって、表示部はプレイヤには搭載されず、映像の表示部は通常のＴＶ画面を利用するタイプのものであった。【０００４】しかし、技術の進歩によって装置の小型化が実現し、表示部が搭載された、いわゆるスクリーン一体型になったポータブルＤＶＤが出現するに至った。【０００５】表示用のスクリーンには通常液晶を利用した、液晶スクリーンが使用されている。この液晶スクリーンの出現もスクリーン一体型になったポータブルＤＶＤを可能にした原因の一つである。【０００６】更に、モーバイル性を追求した、より小型化された、表示部を含まないポータブルＤＶＤが出現した（例えば松下電器製ＤＶＤ−ＰＶ４０など）。ここではこの表示部を含まないポータブルＤＶＤを小型スクリーンレス・ポータブルＤＶＤプレイヤと呼びことにする。【０００７】現在広く使われているモーバイル機器として携帯電話がある。携帯電話の発達は目覚しく、カメラ付きの携帯電話が一般的になり、ついでチューナを内蔵し、ＴＶ映像が見られる携帯電話まで出現した（例えばボーダーホン、テレビ付き携帯電話「Ｖ６０１Ｎ」など）。携帯電話の使用頻度は年々増加しており、携帯する時間も長くなって来ている。機能的には多種多様な機能が付加されており、全体的に電力の消費が増大している。このような理由により携帯電話は電池切れになることがしばしばある。このような時に対処する為に携帯用の充電器なども別に販売されている。
【発明の開示】
【発明が解決しようとする課題】
【０００８】小型スクリーンレス・ポータブルＤＶＤプレイヤを使って再生映像を見るには、一般的にはＴＶと接続したり、パソコンのスクリーンを利用したりしている。このような再生方法では小型である事は生かされているが、モーバイル性は生かされているとは言いがたい。【０００９】小型スクリーンレス・ポータブルＤＶＤプレイヤのモーバイル性を生かした映像再生方法が強く求められていた。もう一つの重要なモーバイル機器である携帯電話については簡便な充電問題の解決方法が求められていた。
【課題を解決するための手段】
【００１０】本発明は小型スクリーンレス・ポータブルＤＶＤプレイヤの表示部として、常に携帯が日常化されている携帯電話機の表示部を利用し、該ＤＶＤプレイヤと該携帯電話機を、音声信号及び映像信号に関して１本のラインでのみで結合する事によって前記の課題を解決したものである。【００１１】さらに、該ＤＶＤプレイヤ側にＵＳＢ端子を設け、小型スクリーンレス・ポータブルＤＶＤプレイヤの電源であるバッテリーパック電源を利用し、ＵＳＢ端子を利用して携帯電話への充電を行うことによって、前記、充電にたいする課題を解決したものである。【００１２】本発明の第一の目的は、携帯電話機を利用して簡単に映像や音声の再生を行うことの出来る小型スクリーンレス・ポータブルＤＶＤプレイヤを提供する事である。【００１３】本発明の第２の目的は、携帯電話機の充電を行うことの出来る小型スクリーンレス・ポータブルＤＶＤプレイヤを提供する事である。【００１４】図１は本発明を示すブロック・ダイヤグラムを示す図である。以下、図をもとに本発明を詳細に説明する。図において、１はＤＶＤプレイヤ、２は電源、３は映像信号、４は音声信号、５は音声信号出力端子、６は映像信号出力端子、７はＡＣカップリング回路、８は映像信号／音声信号結合端子、９は映像信号／音声信号結合コネクタ、１０はステレオホン用平型コネクタ、１１はチューナが内蔵された携帯電話、１２はＤＣ−ＤＣコンバータ、１３はＵＳＢ端子、１４はＵＳＢコネクタ、１５は充電コードである。【００１５】通常の小型スクリーンレス・ポータブルＤＶＤプレイヤにおいては、出力端子として、５は音声信号出力端子および６は映像信号出力端子のみをそなえており、この２つの端子と２本のラインでスクリーンと結合する。【００１６】本発明においては、３の映像信号と４の音声信号を、一度７のＡＣカップリング回路を通して出力のレベルあわせを行った後、これらを８の映像信号／音声信号結合端子に導く。８の映像信号／音声信号結合端子は映像信号と音声信号を束ねて物理的に１本のラインにするための端子である。８の映像信号／音声信号結合端子は９は映像信号／音声信号結合コネクタと結合し、１本のラインで１１の携帯電話と結ばれる。ここに使用される携帯電話はチューナが内蔵された電話機である。８の映像信号／音声信号結合端子は少なくとも、３以上の接点を持つものが使用される。携帯電話側の端子は携帯電話のステレオホン用端子に結合されるステレオホーン用の１０の平型コネクタである。【００１７】ＤＶＤ駆動に使用される２の電源電圧は通常、携帯電話に使用される電源電圧とは異なっている（例えばＢＬＵＥＤＯＴ社のＢＤＶ−０１０１用のものでは９ボルト、２．２アンペア）が、これを１２はＤＣ−ＤＣコンバータにより携帯電話の充電電圧５．６ボルトと等しいように降圧する。【００１８】降圧された電流は１３のＵＳＢ端子に導かれる。１３のＵＳＢ端子は５．６Ｖの電源を接続された携帯電話に供給するためのものである。１３のＵＳＢ端子は１４のＵＳＢ端子コネクタと結合し、１５の充電コードを介して、携帯電話の充電用の端子と結合される。充電コードの接続は携帯電話に充電が必要な時に使用すればよい。
【発明の効果】
【００１９】本発明によって簡便に小型スクリーンレス・ポータブルＤＶＤプレイヤの映像や音声の再生が可能となった。また、同時に携帯電話機の充電を行うことが可能となった。
【発明を実施するための最良の形態】
【００２０】本発明の第一の発明を実施するための最良の形態は、映像信号／音声信号結合端子を含むことを特徴とする小型スクリーンレス・ポータブルＤＶＤプレイヤに関するものである。【００２１】本発明の第２の発明を実施するための最良の形態は、充電用ＵＳＢ端子を含むことを特徴とする小型スクリーンレス・ポータブルＤＶＤプレイヤに関するものである。【００２２】本発明の第３の発明を実施するための最良の形態は、映像信号／音声信号結合端子及び充電用ＵＳＢ端子を含むことを特徴とする小型スクリーンレス・ポータブルＤＶＤプレイヤに関するものである。【００２３】本発明の第４の発明を実施するための最良の形態は、一端が映像信号／音声信号結合端子コネクタであり他端がステレオホーン用平型コネクタで構成されるスクリーンレスＤＶＤプレイヤ用コード（電線）に関することである。
【実施例】
【００２４】図１は、前記したように本発明を説明するために用いたが、明らかなように本発明の１実施例である。
【産業上の利用可能性】
【００２５】本発明によれば、共にモーバイル性を追求したポータブル・ＤＶＤと携帯電話が簡単に接続され、新しい利用法が生まれる可能性がある。
【図面の簡単な説明】
【００２６】
【図１】    本発明のブロック・ダイアグラムを示した図である。
【符号の説明】
【００２７】  １    ＤＶＤプレイヤ。
２    電源。
３    映像信号。
４    音声信号。
５    音声信号出力端子。
６    映像信号出力端子。
７    ＡＣカップリング回路。
８    映像信号／音声信号結合端子。
９    映像信号／音声信号結合コネクタ。
１０    ステレオホン用平型コネクタ。
１１    チューナが内蔵された携帯電話。
１２    ＤＣ−ＤＣコンバータ。
１３    ＵＳＢ端子。
１４    ＵＳＢコネクタ。
１５    充電コード。
【図１】
2005259323.tif 000003